(57)【要約】      （修正有）【課題】ＳＮＳ等の画像管理サーバで管理されている１つの画像に対して、複数の注目すべき部分が登録され、各注目すべき部分が近い場合には、同じような画像が複数登録されることになるため、共有者にとっては分かりづらいという問題を解決する。【解決手段】計算部が、新たに登録しようとする注目点ＡＰ１４の多次元座標における第２の位置と、既に登録されている注目点ＡＰ１３の多次元座標における第１の位置との間の距離Ｌ３を計算し、予め定められている距離Ｌ以下の場合は登録が拒否され、予め定められている距離Ｌを越える場合には登録が許可される。これにより、ディスプレイ上に表示される各注目点ＡＰが近いために、ユーザにとって分かりづらいという問題を解決することができるという効果を奏する。【選択図】図３７
2014120878.tif 000002
【特許請求の範囲】
【請求項１】
通信端末と通信可能な所定領域管理システムであって、
画像データの多次元座標における第１の位置を示す第１の所定領域情報を記憶する記憶手段と、
前記通信端末から送信され、前記画像データの前記多次元座標における第２の位置を示す第２の所定領域情報を受信する受信手段と、
前記受信手段によって受信された第２の所定領域情報で示される第２の位置と、前記記憶手段に記憶されている第１の所定領域情報で示される第１の位置との間の距離を計算する計算手段と、
前記計算手段によって計算された距離が予め定められている距離以下の場合には、前記第２の所定領域情報を前記記憶手段に記憶せず、前記計算手段によって計算された距離が前記予め定められている距離を越える場合には、前記第２の所定領域情報を前記記憶手段に記憶する記憶処理手段と、
を有することを特徴とする所定領域管理システム。
【請求項２】
請求項１に記載の所定領域管理システムであって、更に、
前記第２の所定領域情報で示される第２の位置を重心とする領域内に、前記第１の所定領域情報で示される第１の位置が含まれるかを判断する判断手段と、
前記計算手段は、前記判断手段によって前記領域内に含まれると判断された第１の位置に対してのみ、前記第２の位置との間の距離を計算する
ことを特徴とする所定領域管理システム。
【請求項３】
前記計算手段によって計算された距離が予め定められている距離以下の場合には、前記記憶処理手段は、前記第１の所定領域情報に対して、当該第１の所定領域情報が既に記憶されていることによって前記第２の所定領域情報を前記記憶手段に記憶することができない旨を示す情報を関連付けて記憶することを特徴とする請求項１又は２に記載の所定領域管理システム。
【請求項４】
前記多次元座標系は３次元座標系であることを特徴とする請求項１乃至３のいずれか一項に記載の所定領域管理システム。
【請求項５】
前記第２の位置を重心とする領域は、当該第２の位置を重心とする直方体であることを特徴とする請求項４に記載の所定領域管理システム。
【請求項６】
前記多次元座標系は２次元座標系であることを特徴とする請求項１乃至３のいずれか一項に記載の所定領域管理システム。
【請求項７】
前記第２の位置を重心とする領域は、当該第２の位置を重心とする長方形であることを特徴とする請求項６に記載の所定領域管理システム。
【請求項８】
前記多次元座標は、極座標系で表されることを特徴とする請求項１乃至７に記載の所定領域管理システム。
【請求項９】
通信端末と通信可能であり、画像データの多次元座標における第１の位置を示す第１の所定領域情報を記憶する記憶手段を有する所定領域管理システムが実行する所定領域管理方法であって、
前記所定領域管理システムは、
前記通信端末から送信され、前記画像データの前記多次元座標系における第２の位置を示す第２の所定領域情報を受信する受信ステップと、
前記受信ステップによって受信された第２の所定領域情報で示される第２の位置と、前記記憶手段に記憶されている第１の所定領域情報で示される第１の位置との間の距離を計算する計算ステップと、
前記計算ステップによって計算された距離が予め定められている距離以下の場合には、前記第２の所定領域情報を前記記憶手段に記憶せず、前記計算手段によって計算された距離が前記予め定められている距離を越える場合には、前記第２の所定領域情報を前記記憶手段に記憶する記憶処理ステップと、
を実行することを特徴とする所定領域管理方法。
【請求項１０】
コンピュータに、請求項９に記載の各ステップを実行させることを特徴とするプログラム。
【発明の詳細な説明】
【技術分野】
【０００１】
本発明は、所定の通信端末と通信可能な所定領域管理システム、この所定領域管理システムが実行する所定領域管理方法、及びこの方法を実行するためのプログラムに関する。
【背景技術】
【０００２】
近年、デジタルカメラ等で撮影された画像が、あるユーザによってインターネット上の画像管理サーバにアップロードされる一方で、他のユーザが上記画像を画像管理サーバからダウンロードすることにより、複数のユーザが同じ画像を共有するシステムが提供されている（特許文献１参照）。
【０００３】
また、近年、Facebook等のSNS(Social Networking Service)が急速に普及している。このSNSにより、ユーザは共有された画像に対して自分のコメントを投稿することで、複数のユーザがコメントを閲覧することができる。
【０００４】
ここで、上記コメントについて、図３８を用いて説明する。図３８に示されているように、ユーザＡさんがアップロードした交差点の画像に対して、ユーザＢさんが交差点の画像の一部（ここでは、「第１ビルの画像」）を共有者に注目すべきと促したい場合、ユーザＢさんは、コメントとして画像の一部を投稿することができる。更に、ユーザＢさんが交差点の画像の一部（ここでは、「第２ビルの画像」）を共有者に注目すべきと促したい場合、ユーザＢさんは、コメントとして画像の一部を投稿することができる。そして、共有者は、図３８に示されているように、投稿されたコメントを閲覧することができる。
【０００５】
なお、図３８において、「交差点の画像」、「第１ビルの画像」、「第２ビルの画像」の各字は、ＳＮＳの画像管理サーバで管理されている画像データにアクセスできるようにハイパーリンクが張られている。
【発明の概要】
【発明が解決しようとする課題】
【０００６】
しかしながら、１つの画像に対して、複数の注目すべき部分が登録され、各注目すべき部分が近い場合には、同じような画像が複数登録されることになるため、共有者にとっては分かりづらいという課題が生じる。
【課題を解決するための手段】
【０００７】
請求項１に係る発明は、通信端末と通信可能な所定領域管理システムであって、画像データの多次元座標における第１の位置を示す第１の所定領域情報を記憶する記憶手段と、前記通信端末から送信され、前記画像データの前記多次元座標における第２の位置を示す第２の所定領域情報を受信する受信手段と、前記受信手段によって受信された第２の所定領域情報で示される第２の位置と、前記記憶手段に記憶されている第１の所定領域情報で示される第１の位置との間の距離を計算する計算手段と、前記計算手段によって計算された距離が予め定められている距離以下の場合には、前記第２の所定領域情報を前記記憶手段に記憶せず、前記計算手段によって計算された距離が前記予め定められている距離を越える場合には、前記第２の所定領域情報を前記記憶手段に記憶する記憶処理手段と、を有することを特徴とする所定領域管理システムである。
【発明の効果】
【０００８】
以上説明したように本発明によれば、計算手段が第２の位置と第１の位置との間の距離を計算する。そして、この計算された距離が予め定められている距離以下の場合は、第２の位置を示す第２の所定領域情報は記憶手段に記憶されず、また上記計算された距離が予め定められている距離を超える場合には、第２の位置を示す第２の所定領域情報は記憶手段に記憶される。これにより、同じような画像が複数登録されることを防止することができるため、共有者にとっては分かりづらいという課題を解決することができる。
【図面の簡単な説明】
【０００９】
【図１】本発明の実施形態に係る画像共有システムの概略図である。
【図２】（ａ）は撮影装置の左側面図であり、（ｂ）は撮影装置の正面図であり、（ｃ）は撮影装置の平面図である。
【図３】撮影装置の使用状況を示したイメージ図である。
【図４】（ａ）は撮影装置で撮影された半球画像（前）、（ｂ）は撮影装置で撮影された半球画像（後）、（ｃ）はメルカトル図法により表された画像を示した図である。
【図５】（ａ）はメルカトル図法により表された画像と共有選択用画像の部分を示した図、（ｂ）は共有選択用画像を示した図である。
【図６】共有選択用画像を示した撮影画像選択リストの図である。
【図７】全天球パノラマ画像を示した図である。
【図８】全天球パノラマ画像を３次元の立体球とした場合の仮想カメラ及び所定領域の位置を示した図である。
【図９】（ａ）は図７の立体斜視図、（ｂ）はディスプレイに所定領域の画像が表示された通信端末を示す図である。
【図１０】図１０（ａ）は、各注目点が示された所定領域画像（部分画像Ｐ）を示した図であり、図１０（ｂ）は、任意の注目点を含み、この注目点周辺を示した所定領域画像（部分画像Ｐ１）を示した図である。（ａ）、（ｂ）は、所定領域画像を示した図である。
【図１１】所定領域と注目点との関係を示した図である。
【図１２】撮影装置のハードウェア構成図である。
【図１３】通信端末のハードウェア構成図である。
【図１４】所定領域管理システム及び画像管理システムのハードウェア構成図である。
【図１５】実施形態に係る通信端末、所定領域管理システム、及び画像管理システムの機能ブロック図である。
【図１６】所定領域管理テーブルを示す概念図である。
【図１７】画像管理テーブルを示す概念図である。
【図１８】関係者管理テーブルを示す概念図である。
【図１９】アルバム管理テーブルを示す概念図である。
【図２０】アルバム内画像管理テーブルを示す概念図である。
【図２１】撮影画像のアップロードの処理を示したシーケンス図である。
【図２２】画像オブジェクトを示した図である。
【図２３】画像管理システムにコメントとして所定領域を投稿する処理を示したシーケンス図である。
【図２４】コメントオブジェクトの内容を示した図である。
【図２５】所定領域管理システムへ所定領域を登録する処理を示したシーケンス図である。
【図２６】所定領域オブジェクトの内容を示した図である。
【図２７】関係者リストが要求されてから画像リストが表示されるまでの処理を示したシーケンス図である。
【図２８】ディスプレイに表示された関係者リストを示す図である。
【図２９】ディスプレイに表示されたアルバムリストを示す図である。
【図３０】ディスプレイに表示された画像リストを示す図である。
【図３１】画像データ及び所定領域リストのオブジェクトのダウンロードの処理を示したシーケンス図である。
【図３２】画像オブジェクトの内容を示した図である。
【図３３】所定領域リストのオブジェクトの内容を示した図である。
【図３４】立体球上の各注目点を示した概念図である。
【図３５】登録可否判断を示したフローチャートである。
【図３６】一次絞込みの処理を示した概念図である。
【図３７】二次絞込みの処理を示した概念図である。
【図３８】投稿されたコメントを示す図である。
【発明を実施するための形態】
【００１０】
以下、図１乃至図３７を用いて、本発明の実施形態について説明する。
【００１１】
＜＜実施形態の概略＞＞
まずは、図１乃至図１１を用いて、本実施形態の概略を説明する。なお、図１は、本実施形態に係る画像共有システムの概略図である。
【００１２】
図１に示されているように、本実施形態の画像共有システムは、撮影装置１、複数の通信端末（３ａ，３ｂ）、所定領域管理システム５、及び画像管理システム７によって構築されている。また、各通信端末（３ａ，３ｂ）は、それぞれユーザ（Ａ，Ｂ）によって利用される。また、本実施形態では、撮影装置１は、ユーザＡによって操作される場合を示している。なお、以下では、複数の通信端末（３ａ，３ｂ）のうち、任意の通信端末を「通信端末３」として表す。
【００１３】
また、撮影装置１は、全天球パノラマ画像を得るためのデジタルカメラである。通信端末３は、スマートフォン、タブレット端末、ノート型パソコン、デスクトップ型パソコン、又はＰＤＡ(Personal Data Assistance)等のコンピュータである。更に、所定領域管理システム５及び画像管理システム７は、それぞれのサーバコンピュータである。
【００１４】
また、撮影装置１は、通信端末３とＮＦＣ（Near Field Communication）規格による短距離無線技術によって通信することができる。更に、通信端末３は、通信ネットワーク９を介して、所定領域管理システム５及び画像管理システム７と通信することができる。この通信ネットワーク９は、３Ｇ(3rd Generation)、ＷｉＭＡＸ(Worldwide Interoperability for Microwave Access)、ＬＴＥ(Long Term Evolution)等の無線通信網及び各基地局（９ａ，９ｂ，９ｃ）、並びにインターネットによって構築される。なお、撮影装置１と通信端末３との間、及び通信端末３と通信ネットワーク９との間は、それぞれ有線による通信を行ってもよい。
【００１５】
次に、図２を用いて、撮影装置１の外観を説明する。なお、図２（ａ）は撮影装置の左側面図であり、図２（ｂ）は撮影装置の正面図であり、図２（ｃ）は撮影装置の平面図である。
【００１６】
図２（ａ）に示されているように、撮影装置１は、人間が片手で持つことができる大きさである。また、図２（ａ），（ｂ），（ｃ）に示されているように、撮影装置１の上部には、正面側（前側）に撮像素子１０３ａ及び背面側（後側）に撮像素子１０３ｂが設けられている。また、図２（ｂ）に示されているように、撮影装置１の正面側には、シャッターボタン等の操作部１１５が設けられている。
【００１７】
次に、図３を用いて、撮影装置１の使用状況を説明する。なお、図３は、撮影装置の使用状況を示したイメージ図である。撮影装置１は、図３に示されているように、ユーザが手に持ってユーザの周りの被写体を撮影するために用いられる。この場合、図２に示されている撮像素子１０３ａ及び撮像素子１０３ｂによって、それぞれユーザの周りの被写体が撮像されることで、２つの半球画像を得ることができる。
【００１８】
次に、図４を用いて、撮影装置１で撮影された画像及び合成された画像を説明する。なお、図４（ａ）は撮影装置で撮影された半球画像（前側）、図４（ｂ）は撮影装置で撮影された半球画像（後側）、図４（ｃ）はメルカトル図法により表された画像（以下、「メルカトル画像」という）を示した図である。
【００１９】
図４（ａ）に示されているように、撮像素子１０３ａによって得られた画像は、後述の魚眼レンズ１０２ａによって湾曲した半球画像（前側）となる。また、図４（ｂ）に示されているように、撮像素子１０３ｂによって得られた画像は、後述の魚眼レンズ１０２ｂによって湾曲した半球画像（後側）となる。そして、半球画像（前側）と、１８０度反転された半球画像（後側）とは、撮影装置１によって合成され、図３（ｃ）に示されているように、メルカトル画像が作成される。
【００２０】
次に、図５及び図６を用いて、メルカトル画像と、この画像の選択に用いられる共有選択用画像との関係を説明する。なお、図５（ａ）はメルカトル画像と共有選択用画像の部分を示した図、図５（ｂ）は共有選択用画像を示した図である。また、図６は、共有選択用画像を示した撮影画像選択リストの図である。
【００２１】
図５（ａ）のメルカトル画像上の破線で示された部分が利用されることで、図５（ｂ）の共有選択用画像が作成される。この共有選択用画像は、図１に示されている撮影装置１から通信端末３ａに送信される。そして、通信端末３ａのディスプレイ３１５上には、図６に示されているように、各共有選択用画像CEが示された共有画像選択リストSLが表示される。例えば、共有選択用画像CEとして商業地域のビルが表示され、撮影日時（２０１１年９月２０日  １１時２１分）、撮影画像の画像データサイズ（１３．１ＭＢ）、及び、後述の注目点が設定された数（０個）が表示される。
【００２２】
次に、ユーザＡが所望の共有選択用画像CEを選択すると、通信端末３ａが撮影装置１から、上述の選択された共有選択用画像CEに係る撮影画像（メルカトル画像）を取得する。
【００２３】
この取得された撮影画像は、上記通信端末３ａでは、OpenGL ES（Open Graphics Library for Embedded Systems）が利用されることで、図４（ｃ）に示されているメルカトル画像から、図７に示されている全天球パノラマ画像が作成される。なお、OpenGL ESは、２Ｄ(2-Dimensions)および３Ｄ(3-Dimensions)のデータを視覚化するために使用するグラフィックスライブラリである。また、図７は、全天球パノラマ画像を示した図である。全天球パノラマ画像は、静止画であっても動画であってもよい。
【００２４】
次に、図８及び図９を用いて、全天球パノラマ画像における所定領域の画像（以下、「所定領域画像」という）の作成及び表示の処理について説明する。なお、図８は、全天球パノラマ画像を３次元の立体球とした場合の仮想カメラ及び所定領域の位置を示した図である。また、図９（ａ）は図８の立体斜視図、図９（ｂ）はディスプレイに所定領域画像が表示された通信端末を示す図である。
【００２５】
図７に示されている全天球パノラマ画像を３次元の立体球ＣＳであるとすると、図８に示されているように、仮想カメラＩＣが全天球パノラマ画像の中心に位置し、この中心から上下左右の回転と、この中心からの視点での回転(ROLL)の３軸の回転を行うことができる。この全天球パノラマ画像における所定領域Ｔは、この全天球パノラマ画像における仮想カメラＩＣの位置の所定領域情報によって特定される。この所定領域情報は、座標ｘ(rH)、座標ｙ(rV)、及び画角α(angle)が含まれている。また、所定領域Ｔのズームは、画角αの範囲（円弧）を広げたり縮めたりすることで表現することができる。
【００２６】
そして、図９（ａ）で示されているように、全天球パノラマ画像における所定領域Ｔの画像は、図９（ｂ）に示されているように、通信端末３ａのディスプレイ３１５に、所定領域画像として表示される。この場合の所定領域画像は、全天球パノラマ画像の一部を示す部分画像Ｐである。なお、ディスプレイ３１５上には、所定領域画像を表示する所定領域画像表示領域３１１０、所定領域画像のサムネイルを表示するサムネイル表示領域３１２０、所定領域画像に対するユーザのコメントを表示するコメント表示領域３１３０が表示されている。
【００２７】
一方で、図４（ｃ）に示される撮影画像は、通信端末３ａから通信ネットワーク９を介して画像管理システム７へアップロード可能である。そして、例えば、ユーザＢが通信端末３ｂを利用し、通信ネットワーク９を介して画像管理システム７から上記撮影画像をダウンロードする。これにより、各ユーザは、撮影画像を共有することができる。
【００２８】
また、図１０に示されているように、本実施形態の画像共有システムでは、撮影画像に各ユーザが注目している注目点を設定することができる。なお、図１０（ａ）は、各注目点が示された所定領域画像（部分画像Ｐ）を示した図であり、図１０（ｂ）は、注目点ＡＰ１を含み、この注目点ＡＰ１の周辺を示した所定領域画像（部分画像Ｐ１）を示した図である。
【００２９】
図１０（ａ）に示されているように、通信端末３ｂのディスプレイ３１５上には、本実施形態の画像共有システムを利用する単一又は複数のユーザによって注目されて設定された複数の注目点（ＡＰ１，ＡＰ２，ＡＰ３，ＡＰ４）が表示される。更に、各注目点（ＡＰ１，ＡＰ２，ＡＰ３，ＡＰ４）を含んだ一定範囲の所定領域Ｔの画像（所定領域画像）のサムネイル（Ｔ１，Ｔ２，Ｔ３，Ｔ４）が、それぞれディスプレイ３１５の下部に表示される。そして、ユーザＢが、例えば、サムネイルＴ１を選択すると、図１０（ｂ）に示されているように、サムネイルＴ１の元の画像である所定領域画像（ここでは、部分画像Ｐ１）が、ディスプレイ３１５に表示されることになる。なお、以下では、注目点（ＡＰ１，ＡＰ２，ＡＰ３，ＡＰ４）のうち、任意の注目点を「注目点ＡＰ」として表す。
【００３０】
また、図１０（ｂ）に示されている所定領域画像に対して、更に注目点を設定することも可能である。この場合、更に設定された注目点を含む所定領域画像のサムネイルが表示されることになる。
【００３１】
ここで、図１１を用いて、所定領域Ｔと注目点ＡＰとの関係を説明する。図１１は、所定領域と注目点との関係を示した図である。図１１に示されているように、仮想カメラＩＣの画角αによって表される所定領域Ｔの対角線画角２Ｌの中心点が、注目点ＡＰとして表される。即ち、ユーザが注目点ＡＰを設定する場合、所定領域管理システム５によって所定領域情報（座標ｘ(rH)、座標ｙ(rV)、及び画角α(angle)）が管理され、この所定領域情報に基づいてディスプレイ３１５上に注目点ＡＰが表される。即ち、注目点ＡＰは、図１６に示されているような所定領域管理テーブルを利用したリレーショナルデータベースによって表すことができる。なお、ｆは仮想カメラＩＣから注目点ＡＰまでの距離である。また、図１１では、一般的に以下の式（１）で示される三角関数が成り立つ。
【００３２】
Ｌｆ＝ｔａｎ（α／２）・・・式（１）
なお、上記では、通信端末３ｂが撮影画像をダウンロードしたが、これに限るものではなく、通信端末３ａが撮影画像をダウンロードしてもよい。
【００３３】
＜＜実施形態のハードウェア構成＞＞
次に、図１２乃至図１４を用いて、本実施形態の撮影装置、通信端末、所定領域管理システム、及び画像管理システムのハードウェア構成を詳細に説明する。
【００３４】
まず、図１２を用いて、撮影装置１のハードウェア構成を説明する。なお、図１２は、撮影装置のハードウェア構成図である。以下では、撮影装置１は、２つの撮像素子を使用した全方位撮影装置とするが、撮像素子は３つ以上いくつでもよい。また、必ずしも全方位撮影専用の装置である必要はなく、通常のデジタルカメラやスマートフォン等に後付けの全方位撮影ユニットを取り付けることで、実質的に撮影装置１と同じ機能を有するようにしてもよい。
【００３５】
図１２に示されているように、撮影装置１は、撮像ユニット１０１、画像処理ユニット１０４、撮像制御ユニット１０５、ＣＰＵ(Central Processing Unit)１１１、ＲＯＭ(Read Only Memory)１１２、ＳＲＡＭ(Static Random Access Memory)１１３、ＤＲＡＭ(Dynamic Random Access Memory)１１４、操作部１１５、ネットワークＩ／Ｆ１１６、通信部１１７、及びアンテナ１１７ａによって構成されている。
【００３６】
このうち、撮像ユニット１０１は、各々半球画像を結像するための１８０°以上の画角を有する広角レンズ（いわゆる魚眼レンズ）１０２ａ，１０２ｂと、各広角レンズに対応させて設けられている２つの撮像素子１０３ａ，１０３ｂを備えている。撮像素子１０３ａ，１０３ｂは、魚眼レンズによる光学像を電気信号の画像データに変換して出力するＣＭＯＳ(Complementary Metal Oxide Semiconductor)センサやＣＣＤ(Charge Coupled Device)センサなどの画像センサ、この画像センサの水平又は垂直同期信号や画素クロックなどを生成するタイミング生成回路、この撮像素子の動作に必要な種々のコマンドやパラメータなどが設定されるレジスタ群などを有している。
【００３７】
撮像ユニット１０１の撮像素子１０３ａ，１０３ｂは、各々、画像処理ユニット１０４とはパラレルＩ／Ｆバスで接続されている。一方、撮像ユニット１０１の撮像素子１０３ａ，１０３ｂは、撮像制御ユニット１０５とは別に、シリアルＩ／Ｆバス（Ｉ２Ｃバス等）で接続されている。画像処理ユニット１０４及び撮像制御ユニット１０５は、バス１１０を介してＣＰＵ１１１と接続される。さらに、バス１００には、ＲＯＭ１１２、ＳＲＡＭ１１３、ＤＲＡＭ１１４、操作部１１５、ネットワークＩ／Ｆ１１６、通信部１１７、及び電子コンパス１１８なども接続される。
【００３８】
画像処理ユニット１０４は、撮像素子１０３ａ，１０３ｂから出力される画像データをパラレルＩ／Ｆバスを通して取り込み、それぞれの画像データに対して所定の処理を施した後、これらの画像データを合成処理して、図４（ｃ）に示されているようなメルカトル画像のデータを作成する。
【００３９】
撮像制御ユニット１０５は、一般に撮像制御ユニット１０５をマスタデバイス、撮像素子１０３ａ，１０３ｂをスレーブデバイスとして、Ｉ２Ｃバスを利用して、撮像素子１０３ａ，１０３ｂのレジスタ群にコマンド等を設定する。必要なコマンド等は、ＣＰＵ１１１から受け取る。また、該撮像制御ユニット１０５は、同じくＩ２Ｃバスを利用して、撮像素子１０３ａ，１０３ｂのレジスタ群のステータスデータ等を取り込み、ＣＰＵ１１１に送る。
【００４０】
また、撮像制御ユニット１０５は、操作部１１５のシャッターボタンが押下されたタイミングで、撮像素子１０３ａ，１０３ｂに画像データの出力を指示する。撮影装置によっては、ディスプレイによるプレビュー表示機能や動画表示に対応する機能を持つ場合もある。この場合は、撮像素子１０３ａ，１０３ｂからの画像データの出力は、所定のフレームレート（フレーム／分）によって連続して行われる。
【００４１】
また、撮像制御ユニット１０５は、後述するように、ＣＰＵ１１１と協働して撮像素子１０３ａ，１０３ｂの画像データの出力タイミングの同期をとる同期制御手段としても機能する。なお、本実施形態では、撮影装置には表示部が設けられていないが、表示部を設けてもよい。
【００４２】
ＣＰＵ１１１は、撮影装置１の全体の動作を制御すると共に必要な処理を実行する。ＲＯＭ１１２は、ＣＰＵ１１１のための種々のプログラムを記憶している。ＳＲＡＭ１１３及びＤＲＡＭ１１４はワークメモリであり、ＣＰＵ１１１で実行するプログラムや処理途中のデータ等を記憶する。特にＤＲＡＭ１１４は、画像処理ユニット１０４での処理途中の画像データや処理済みのメルカトル画像のデータを記憶する。
【００４３】
操作部１１５は、種々の操作ボタンや電源スイッチ、シャッターボタン、表示と操作の機能を兼ねたタッチパネルなどの総称である。ユーザは操作ボタンを操作することで、種々の撮影モードや撮影条件などを入力する。
【００４４】
ネットワークＩ／Ｆ１１６は、ＳＤカード等の外付けのメディアやパーソナルコンピュータなどとのインターフェース回路（ＵＳＢＩ／Ｆ等）の総称である。また、ネットワークＩ／Ｆ１１６としては、無線、有線を問わずにネットワークインタフェースである場合も考えられる。ＤＲＡＭ１１４に記憶されたメルカトル画像のデータは、このネットワークＩ／Ｆ１１６を介して外付けのメディアに記録されたり、必要に応じて、ネットワークＩ／ＦとなるネットワークＩ／Ｆ１１６を介して、通信端末３等の外部装置に送信される。
【００４５】
通信部１１７は、撮影装置１に設けられたアンテナ１１７ａを介して、WiFi(wireless fidelity)やＮＦＣ等の短距離無線技術によって、通信端末３等の外部装置と通信を行う。この通信部１１７によっても、メルカトル画像のデータを通信端末３の外部装置に送信することができる。
【００４６】
電子コンパス１１８は、地球の磁気から撮影装置１の方位及び傾き(Roll回転角)を算出し、方位・傾き情報を出力する。この方位・傾き情報はExifに沿ったメタデータの一例であり、撮影画像の画像補正等の画像処理に利用される。なお、メタデータには、画像データのサムネイル、画像の撮影日時、及び画像データのデータ容量の各データも含まれている。
【００４７】
次に、図１３を用いて、通信端末３のハードウェア構成を説明する。なお、図１３は、通信端末がスマートフォンの場合のハードウェア構成図である。
【００４８】
図１３に示されているように、通信端末３は、通信端末３全体の動作を制御するＣＰＵ３０１、基本入出力プログラムを記憶したＲＯＭ３０２、ＣＰＵ３０１のワークエリアとして使用されるＲＡＭ(Random Access Memory)３０３、ＣＰＵ３０１の制御にしたがってデータの読み出し又は書き込みを行うＥＥＰＲＯＭ（Electrically Erasable and Programmable ROM）３０４、ＣＰＵ３０１の制御に従って被写体を撮像し画像データを得る撮像素子としてのＣＭＯＳセンサ３０５、地磁気を検知する電子磁気コンパスやジャイロコンパス、加速度センサ等の各種加速度・方位センサ３０６、フラッシュメモリ等の記録メディア３０７に対するデータの読み出し又は書き込み（記憶）を制御するメディアドライブ３０８を備えている。そして、メディアドライブ３０８の制御に従って、既に記録されていたデータが読み出され、又は新たにデータが書き込まれて記憶する記録メディア３０７が着脱自在な構成となっている。
【００４９】
なお、ＥＥＰＲＯＭ３０４には、ＣＰＵ３０１が実行するオペレーティングシステム(OS)、その他のプログラム、及び、種々データが記憶されている。また、ＣＭＯＳセンサ３０５の代わりにＣＣＤセンサを用いてもよい。
【００５０】
更に、通信端末３は、音声を音声信号に変換する音声入力部３１１、音声信号を音声に変換する音声出力部３１２、アンテナ３１３ａ、このアンテナ３１３ａを利用して無線通信信号により、最寄の基地局９ａ等と通信を行う通信部３１３、ＧＰＳ（Global Positioning Systems）衛星又は屋内ＧＰＳとしてのＩＭＥＳ(Indoor MEssaging System）によって通信端末３の位置情報（緯度、経度、および高度）を含んだＧＰＳ信号を受信するＧＰＳ受信部３１４、被写体の画像や各種アイコン等を表示する液晶や有機ＥＬなどのディスプレイ３１５、このディスプレイ３１５上に載せられ、感圧式又は静電式のパネルによって構成され、指やタッチペン等によるタッチによってディスプレイ３１５上におけるタッチ位置を検出するタッチパネル３１６、及び、上記各部を電気的に接続するためのアドレスバスやデータバス等のバスライン３１０を備えている。
【００５１】
なお、音声入力部３１１は、音声を入力するマイクが含まれ、音声出力部３１２には、音声を出力するスピーカが含まれている。
【００５２】
次に、図１４を用いて、所定領域管理システム５、及び画像管理システム７のハードウェア構成を説明する。なお、図１４は、所定領域管理システム５、及び画像管理システム７のハードウェア構成図である。所定領域管理システム５、及び画像管理システム７は、ともに一般のサーバコンピュータであるため、以下では、所定領域管理システム５の構成について説明し、画像管理システム７の構成の説明は省略する。
【００５３】
所定領域管理システム５は、所定領域管理システム５全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、所定領域管理システム５用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク９を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図１４に示されているように電気的に接続するためのアドレスバスやデータバス等のバスライン５１０を備えている。
【００５４】
＜＜実施形態の機能構成＞＞
次に、図１５を用いて、本実施形態の機能構成について説明する。図１５は、本実施形態の画像共有システムの一部を構成する通信端末３、所定領域管理システム５、及び画像管理システム７の各機能ブロック図である。図１５では、通信端末３、所定領域管理システム５、及び画像管理システム７が、通信ネットワーク９を介してデータ通信することができる。
【００５５】
＜通信端末の機能構成＞
図１５に示されているように、通信端末３は、送受信部３１、操作入力受付部３２、作成部３３、表示制御部３４、及び記憶・抽出部３９を有している。これら各部は、図１２に示されている各構成要素のいずれかが、ＳＲＡＭ１１３からＤＲＡＭ１１４上に展開された通信端末３用のプログラムに従ったＣＰＵ１１１からの命令によって動作することで実現される機能又は手段である。
【００５６】
また、通信端末３は、図１２に示されているＲＯＭ１１２、ＳＲＡＭ１１３、及びＤＲＡＭ１１４によって構築される記憶部３０００を有している。
【００５７】
（通信端末の各機能構成）
次に、図１３及び図１５を用いて、通信端末３の各機能構成について更に詳細に説明する。
【００５８】
通信端末３の送受信部３１は、主に、図１３に示されている通信部３１３及びＣＰＵ３０１の処理によって実現され、通信ネットワーク９を介して所定領域管理システム５、又は画像管理システム７と各種データ（または情報）の送受信を行う。
【００５９】
操作入力受付部３２は、主にタッチパネル３１６及びＣＰＵ３０１による処理によって実現され、ユーザから各種の選択又は入力を受け付ける。
【００６０】
作成部３３は、主にＣＰＵ３０１の処理によって実現され、操作入力受付部３２で受け付けたユーザの指定又は選択に基づいて、全天球パノラマ画像から、図９に示されているように、所定領域画像を作成する。また、作成部３３は、所定領域画像に基づいて、図１１（ａ）、図１１（ｂ）に示されているようなサムネイルを作成する。
【００６１】
表示制御部３４は、主にＣＰＵ３０１の処理によって実現され、ディスプレイ３１５に各種画像や文字等を表示させるための制御を行う。
【００６２】
記憶・抽出部３９は、記憶部３０００に各種データ（または情報）を記憶したり、記憶部３０００から各種データ（または情報）を抽出する。記憶・抽出部３９は、例えば、撮影画像、共有選択用画像、又は所定領域画像等の各データを、記憶部３０００に対して記録したり、記憶部３０００から抽出する。
【００６３】
＜所定領域管理システムの機能構成＞
次に、図１５を用いて、所定領域管理システム５の各機能構成について詳細に説明する。所定領域管理システム５は、送受信部５１、判断部５２、作成部５３、計算部５４、及び記憶・抽出部５９を有している。これら各部は、図１４に示されている各構成要素のいずれかが、ＨＤ５０４からＲＡＭ５０３上に展開された所定領域管理システム５用のプログラムに従ったＣＰＵ５０１からの命令によって動作することで実現される機能又は手段である。
【００６４】
また、所定領域管理システム５は、図１４に示されているＲＡＭ５０３、及びＨＤ５０４によって構築される記憶部５０００を有している。この記憶部５０００には、後述の所定領域管理テーブルによって構成されている所定領域管理ＤＢ５００１が構築されている。
【００６５】
（所定領域管理テーブル）
図１６は、所定領域管理テーブルを示す概念図である。この所定領域管理テーブルでは、ユーザを識別するためのユーザ識別情報、画像データを識別するための画像識別情報、所定領域情報、及び登録拒否数情報が関連付けて記憶され管理されている。このうち、登録拒否数情報は、所定領域管理システム５が、所定領域情報が既に記憶されていることによって、新たに所定領域情報を所定領域管理テーブルに記憶することができない旨を示す情報であり、例えば、所定領域情報の登録の可否判断の要求を拒否した回数を示している。具体的には、新たに要求された所定領域情報の登録の可否判断において、既に登録されている所定領域情報が存在するために、新たに要求された所定領域情報の登録が拒否された場合に、この拒否の原因となった既に登録されている所定領域情報に対して、登録が拒否された回数が管理される。
【００６６】
また、図１０（ａ）に示されているように、単一の撮影画像に複数の注目点が設定される場合には、図１６において、単一の画像識別情報に対して、複数の所定領域情報が関連付けられる。
【００６７】
なお、図１６では、ユーザ識別情報の一例としてユーザＩＤ(Identification)が示されているが、ユーザを特定できればユーザＩＤである必要はない。例えば、ユーザ識別情報には、従業員番号、学籍番号、国民総背番号制に基づく国民番号等も含まれる。また、図１６では、画像識別情報の一例として画像ＩＤが示されているが、画像データを特定できれば画像ＩＤである必要はない。例えば、画像識別情報には、画像データのファイル名等も含まれる。
【００６８】
（所定領域管理システムの各機能構成）
次に、図１４及び図１５を用いて、所定領域管理システム５の各機能構成について詳細に説明する。
【００６９】
所定領域管理システム５の送受信部５１は、主に、図１４に示されているネットワークＩ／Ｆ５０９及びＣＰＵ５０１の処理によって実現され、通信ネットワーク９を介して通信端末３、又は画像管理システム７と各種データ（または情報）の送受信を行う。
【００７０】
判断部５２は、主に、図１４に示されているＣＰＵ５０１によって実現され、新たに登録の可否判断を要求された所定領域情報で示される注目点ＡＰ（第２の位置の一例）を重心とする領域内に、既に登録されている所定位置情報で示される注目点（第１の位置の一例）が含まれるかを判断する。この場合の領域は、注目点ＡＰ（第２の位置の一例）を重心とする直方体（立方体を含む）である。
【００７１】
計算部５４は、主に、図１４に示されているＣＰＵ５０１によって実現され、送受信部５１によって受信された所定領域情報で示される注目点ＡＰ（第２の位置の一例）と、所定領域管理テーブル（図１６参照）に記憶されている所定領域情報で示される注目点ＡＰ（第１の位置の一例）との間の距離を計算する。特に、計算部５４は、判断部５２によって、上記領域内に含まれると判断された注目点（第１の位置の一例）に対してのみ、注目点（第２の位置の一例）との間の距離を計算する。
【００７２】
記憶・抽出部５９は、記憶部５０００に各種データ（または情報）を記憶したり、記憶部５０００から各種データ（または情報）を抽出する。また、計算部５４によって計算された距離が予め定められている距離以下の場合には、既に登録されている所定領域情報（第１の所定領域情報の一例）が既に所定領域管理テーブル（図１６参照）に記憶されていることによって、新たに登録の可否判断を要求された所定領域情報（第２の所定領域情報の一例）を所定領域管理テーブルに記憶することができない。この場合に、記憶・抽出部５９は、所定領域管理テーブルにおいて、所定領域情報（第２の所定領域情報の一例）の登録が拒否された原因となった所定領域情報（第１の所定領域情報の一例）に対して、登録拒否数を１つ増加させる。なお、この場合の記憶・抽出部５９は、記憶処理手段の一例である。
【００７３】
＜画像管理システムの機能構成＞
次に、図１４及び図１５を用いて、画像管理システム７の機能構成について詳細に説明する。画像管理システム７は、送受信部７１、作成部７３、及び、記憶・抽出部７９を有している。これら各部は、図１４に示されている各構成要素のいずれかが、ＨＤ５０４からＲＡＭ５０３上に展開された画像管理システム７用のプログラムに従ったＣＰＵ５０１からの命令によって動作することで実現される機能又は手段である。
【００７４】
また、画像管理システム７は、図１４に示されているＲＡＭ５０３、及びＨＤ５０４によって構築される記憶部７０００を有している。この記憶部７０００には、後述の画像管理テーブルによって構成されている画像管理ＤＢ７００１、関係者管理テーブルによって構成されている関係者管理ＤＢ７００２、アルバム管理テーブルによって構成されているアルバム管理ＤＢ７００３、及びアルバム内画像管理テーブルによって構成されているアルバム内画像管理ＤＢ７００４が構築される。
【００７５】
（画像管理テーブル）
図１７は、画像管理テーブルを示す概念図である。この画像管理テーブルは、ユーザを識別するためのユーザ識別情報、ユーザ名、画像を識別するための画像識別情報、この画像識別情報に係る画像データの記憶部７０００における格納場所であるＵＲＬ(Uniform Resource Locator)を示すＵＲＬ情報、属性情報、及びユーザによるコメントを識別するためのコメントＩＤ、コメント内容（テキストデータ）、及びコメントの投稿日時が関連付けて管理されている。
【００７６】
なお、図１７に示されているユーザ識別情報及び画像識別情報は、図１６に示されているユーザ識別情報及び画像識別情報と同じ概念である。
【００７７】
（関係者管理テーブル）
図１８は、関係者管理テーブルを示す概念図である。この関係者管理テーブルでは、友達等のグループ毎に、このグループに属するユーザを識別するためのユーザ識別情報が関連付けて管理されている。なお、関係者の例として、友達、家族、同一会社の社員等が挙げられる。なお、図１８に示されているユーザ識別情報は、図１６に示されているユーザ識別情報と同じ概念である。
【００７８】
（アルバム管理テーブル）
図１９は、アルバム管理テーブルを示す概念図である。このアルバム管理テーブルでは、ユーザ識別情報毎に、ユーザ名、及びアルバム識別情報が関連付けて管理されている。なお、図１９に示されているユーザ識別情報は、図１６に示されているユーザ識別情報と同じ概念である。また、アルバム識別情報の例として、図２０では、アルバムＩＤが示されている。
【００７９】
（アルバム内画像管理テーブル）
図２０は、アルバム内画像管理テーブルを示す概念図である。このアルバム内画像管理テーブルでは、アルバム識別情報毎に、アルバム名、及びアルバムに含まれる画像データの画像識別情報が関連付けて管理されている。なお、図２０に示されているアルバム識別情報は、図１９に示されているアルバム識別情報と同じ概念である。また、図２０に示されている画像識別情報は、図１６に示されている画像識別情報と同じ概念である。
【００８０】
（画像管理システムの各機能構成）
次に、図１５を用いて、画像管理システム７の各機能構成について詳細に説明する。
【００８１】
画像管理システム７の送受信部７１は、主に、図１４に示されているネットワークＩ／Ｆ５０９及びＣＰＵ５０１の処理によって実現され、通信ネットワーク９を介して通信端末３、又は所定領域管理システム５と各種データ（または情報）の送受信を行う。
【００８２】
管理部７２は、通信端末３から送られて来た画像データを画像管理システム７で管理するために、画像データに対して画像識別情報を割り当て、この画像データのヘッダ部分に画像識別情報を付与する。
【００８３】
作成部７３は、画像オブジェクト、関係者リストオブジェクト、アルバムオブジェクト、及びアルバム内画像オブジェクトを作成する。これら各オブジェクトに関しては、後述する。
【００８４】
記憶・抽出部７９は、記憶部７０００に画像データ等の各種データ（または情報）を記憶したり、記憶部５０００から画像データ等の各種データ（または情報）を抽出する。
【００８５】
＜＜実施形態の処理または動作＞＞
次に、図２１及び図２２を用いて、ユーザＡが通信端末３ａを用いて、画像データをアップロードする処理を説明する。なお、図２１は、撮影画像のアップロードの処理を示したシーケンス図である。図２２は、画像オブジェクトを示した図である。
【００８６】
なお、通信端末３、所定領域管理システム５、および画像管理システム７間の通信ネットワーク９を介する通信プロトコルは、ハイパーテキスト通信プロトコル（ＨＴＴＰ）によるＨＴＴＰ通信である。通信端末３ａはＨＴＴＰクライアントに相当し、所定領域管理システム５及び画像管理システム７はＨＴＴＰサーバに相当する。
【００８７】
以下、特に断りがない限り、各シーケンス図における通信端末３ａから所定領域管理システム５及び画像管理システム７への矢印はＨＴＴＰリクエストに相当し、所定領域管理システム５及び画像管理システム７から通信端末３ａへの矢印はＨＴＴＰレスポンスに相当する。
【００８８】
まず、ユーザＡは、画像データを撮影装置１から通信端末３ａの記憶部３０００に取り込んでおく。
【００８９】
次に、ユーザＡがアップロードする画像データを選択することにより、通信端末３ａの操作入力受付部３２は、アップロードされる画像データの選択を受け付ける（ステップＳ１）。そして、通信端末３ａの送受信部３１は、通信ネットワーク９を介して画像管理システム７へ、ユーザＡのユーザ識別情報、ユーザＡのユーザ名、属性情報を含んだ画像データ、及びこの画像データのファイル名のデータを送信することで、画像データのアップロードを行う（ステップＳ２）。これにより、画像管理システム７の送受信部７１は、ユーザ識別情報、ユーザ名、画像データ、及びファイル名のデータを受信することになる。
【００９０】
次に、画像管理システム７の管理部７２は、通信端末３ａから送られて来た画像データを画像管理システム７で管理するために、画像データに対して画像識別情報を割り当て、この画像データのヘッダ部分に画像識別情報を付与する（ステップＳ３）。
【００９１】
次に、記憶・抽出部７９は、ステップＳ２によって受信された各データ（画像データを除く）、及びステップＳ３によって付与された画像識別情報を画像管理テーブル（図１７参照）に記憶して管理すると共に、画像データを記憶部７０００に記憶して管理する（ステップＳ４）。
【００９２】
次に、作成部７３は、ステップＳ４によって管理されている画像管理テーブルに基づいて、図２２に示されているような画像オブジェクトを作成する（ステップＳ５）。この画像オブジェクトには、画像識別情報、ファイル名、及びＵＲＬ情報、及び画像データに含まれている属性情報が含まれている。このうち、ＵＲＬ情報は、画像データが記憶されている記憶部７０００の場所を示す。そして、送受信部７１は、通信ネットワーク９を介して通信端末３ａへ、画像オブジェクトのデータを送信する（ステップＳ６）。これにより、通信端末３ａの送受信部３１は、画像オブジェクトのデータを受信することになる。
【００９３】
次に、通信端末３ａの送受信部３１は、上記ステップＳ６によって受信された画像オブジェクトのユーザ識別情報及び画像識別情報を、通信ネットワーク９を介して管理システム５へ送信する（ステップＳ７）。これにより、所定領域管理システム５の送受信部５１は、ユーザ識別情報及び画像識別情報を受信することになる。
【００９４】
次に、所定領域管理システム５の記憶・抽出部５９は、上記ステップＳ７によって受信されたユーザ識別情報及び画像識別情報を関連付けて、所定領域管理テーブル（図１６参照）に新たに記憶して管理する（ステップＳ８）。そして、送受信部５１は、通信ネットワーク９を介して通信端末３ａへ、ユーザ識別情報及び画像識別情報の管理が完了した旨を示す結果と共に画像識別情報を送信する（ステップＳ９）。これにより、画像データの一連のアップロードの処理が終了する。
【００９５】
次に、図２３及び図２４を用いて、ユーザＡが画像管理システム７にアップロードした画像データに対して、コメントとして所定領域（注目点を含む）を投稿する処理について説明する。なお、図２３は、画像管理システムにコメントとして所定領域を投稿する処理を示したシーケンス図である。図２４は、画像オブジェクトの内容を示した図である。
【００９６】
まず、ユーザＡが通信端末３ａによって画像管理システム７にアクセスし、上記ステップＳ５によって管理されている画像データを取得及び閲覧した後、この画像データに対してコメントを投稿する処理を行うことにより、通信端末３ａの操作入力受付部３２は、投稿されるコメント受け付ける（ステップＳ２１）。この場合、ユーザＡは、コメントとして、図１１に示されているような注目点ＡＰ１を含む所定領域画像（部分画像Ｐ１）のＵＲＩと、この所定領域画像のサムネイルを入力する。
【００９７】
次に、通信端末３ａの送受信部３１は、通信ネットワーク９を介して画像管理システム７へ、上記ステップＳ２１で受け付けられたコメント及びコメントが付される画像データの画像識別情報を送信する（ステップＳ２２）。これにより、画像管理システム７の送受信部７１は、コメント及び画像識別情報を受信することになる。
【００９８】
次に、画像管理システム７の記憶・抽出部７９は、上記ステップＳ２２によって受信されたコメント及び画像識別情報に基づき、画像管理テーブル（図１７参照）で管理されている画像識別情報のレコード部分に、コメントＩＤ、コメント内容及びコメントの投稿日時を記憶して管理する（ステップＳ２３）。なお、コメントＩＤは、このステップＳ２３によってコメント内容が管理される際に、画像管理システム７によって付されたＩＤである。
【００９９】
次に、作成部７３は、ステップＳ２３によって管理された各種情報に基づいて、図２４に示されているようなコメントオブジェクトを作成する（ステップＳ２４）。このコメントオブジェクトのデータには、所定領域のＵＲＩ、画像管理システム７におけるコメントのＩＤ、ユーザＡのユーザ名及びユーザ識別情報、投稿されたコメント内の文字列、並びに、コメントの投稿（作成）された日時が含まれている。これにより、コメントを投稿することになる。
【０１００】
そして、送受信部７１は、通信ネットワーク９を介して通信端末３ａへ、コメントオブジェクトのデータを送信する（ステップＳ２５）。これにより、通信端末３ａの送受信部３１は、コメントオブジェクトのデータを受信することになる。
【０１０１】
ここで、この状態では、上述のごとく、図３９に示されているように、画像１０００に対して、コメントが一方向で関連付けられているに過ぎない。そこで、次に、図２５及び図２６を用いて、画像１０００とコメント１００１を双方向で関連付ける処理について説明する。なお、図２５は、所定領域管理システム５へ所定領域を登録する処理を示したシーケンス図である。図２６は、所定領域オブジェクトの内容を示した図である。
【０１０２】
まず、ユーザＡが所定領域管理システム５に登録したい所定領域情報を選択することにより、通信端末３ａの操作入力受付部３２は、登録される所定領域情報の選択を受け付ける（ステップＳ４１）。そして、通信端末３ａの送受信部３１は、通信ネットワーク９を介して画像管理システム７へ、上記ステップＳ２５で受信された画像識別情報、ユーザＡのユーザ識別情報、及び所定領域情報を送信することで、所定領域情報の登録の可否判断を要求する（ステップＳ４２）。これにより、画像管理システム７の送受信部７１は、画像識別情報、ユーザ識別情報、及び所定領域情報を受信することになる。
【０１０３】
次に、所定領域管理システム５は、登録の可否を判断する処理を行う（ステップＳ４３）。なお、このステップＳ４３の詳細は後述する。
【０１０４】
そして、送受信部５１は、上記ステップＳ４３の判断結果を、通信ネットワーク９を介して通信端末３ｂへ送信する（ステップＳ４４）。これにより、通信端末３ｂの送受信部３１は、判断結果を受信することになる。この判断結果には、上記ステップＳ４２によって所定領域管理システム５に送られて来た３つの情報（画像識別情報、ユーザ識別情報、及び所定領域情報）が含まれている。
【０１０５】
そして、判断結果が「登録許可」の旨を示す場合には、通信端末３ｂの送受信部３１は、通信ネットワーク９を介して画像管理システム７へ、上記ステップＳ４４で受信された画像識別情報及び所定領域情報を送信することで、所定領域情報の登録を要求する（ステップＳ４５）。これにより、画像管理システム７の送受信部７１は、画像識別情報及び所定領域情報を受信することになる。なお、判断結果が「登録拒否」の旨を示す場合には、ステップＳ４５〜Ｓ４８の処理は行われない。
【０１０６】
次に、所定領域管理システム５の記憶・抽出部５９は、上記ステップＳ４５によって受信された画像識別情報及び所定領域情報に基づき、所定領域管理テーブル（図１６参照）でユーザ識別情報と共に管理されている画像識別情報のレコード部分に、所定領域情報を記憶して登録する（ステップＳ４６）。
【０１０７】
次に、作成部５３は、所定領域管理テーブル（図１６参照）の情報に基づいて、図２６に示されているような所定領域オブジェクトを作成する（ステップＳ４７）。この所定領域オブジェクトのデータには、所定領域情報（座標ｘ、座標ｙ、画角α）及び画像識別情報が含まれている。
【０１０８】
そして、送受信部５１は、通信ネットワーク９を介して通信端末３ａへ、所定領域オブジェクトのデータを送信する（ステップＳ４８）。これにより、通信端末３ａの送受信部３１は、所定領域オブジェクトのデータを受信することになる。
【０１０９】
次に、図２７乃至図３０を用いて、今度はユーザＢが、通信端末３ｂを利用して、関係者リストを要求してから画像リストを表示するまでの処理を説明する。なお、図２７は、関係者リストが要求されてから画像リストが表示されるまでの処理を示したシーケンス図である。図２８は、ディスプレイに表示された関係者リストを示す図である。図２９は、ディスプレイに表示されたアルバムリストを示す図である。図３０は、ディスプレイに表示された画像リストを示す図である。
【０１１０】
まず、ユーザＢが、通信端末３ｂによってユーザＢの関係者リストを要求する動作を行うことにより、通信端末３ｂの操作入力受付部３２は、関係者リストの要求を受け付ける（ステップＳ６１）。そして、通信端末３ｂの送受信部３１は、通信ネットワーク９を介して画像管理システム７へ、ユーザＢのユーザ識別情報を送信することで、ユーザＢの関係者リストオブジェクトを要求する（ステップＳ６２）。これにより、画像管理システム７の送受信部７１は、ユーザ識別情報を受信することになる。
【０１１１】
次に、画像管理システム７の記憶・抽出部７９は、上記ステップＳ６２によって受信されたユーザＢのユーザ識別情報を検索キーとして関係者管理テーブル（図１８参照）を検索することにより、ユーザＢのユーザ識別情報が含まれているレコード内のユーザ識別情報を全て抽出し、更に、この抽出された各ユーザ識別情報を検索キーとしてアルバム管理テーブル（図１９参照）を検索することにより、対応するユーザ名のデータを抽出する（ステップＳ６３）。そして、作成部７３は、上記ステップＳ６３によって抽出された全てのユーザ識別情報及びユーザ名に基づいて、不図示の関係者オブジェクトを作成する（ステップＳ６４）。
【０１１２】
次に、送受信部７１は、通信ネットワーク９を介して通信端末３ｂへ、関係者オブジェクトのデータを送信する（ステップＳ６５）。これにより、通信端末３ｂの送受信部３１は、関係者オブジェクトのデータを受信することになる。
【０１１３】
次に、通信端末３ｂの表示制御部３４は、関係者オブジェクトに基づき、ディスプレイ３１５に対して、図２８に示されているような関係者リストを表示させることで、ユーザＢに対して関係者の選択を促す（ステップＳ６６）。
【０１１４】
次に、ユーザＢが、通信端末３ｂによってユーザＡ（ここでは、“James”）を選択することにより、通信端末３ｂの操作入力受付部３２は、関係者の選択を受け付ける（ステップＳ６７）。そして、通信端末３ｂの送受信部３１は、通信ネットワーク９を介して画像管理システム７へ、ユーザＡのユーザ識別情報を送信することで、ユーザＡのアルバムオブジェクトを要求する（ステップＳ６８）。これにより、画像管理システム７の送受信部７１は、ユーザ識別情報を受信することになる。
【０１１５】
次に、画像管理システム７の記憶・抽出部７９は、上記ステップＳ６８によって受信されたユーザＡのユーザ識別情報を検索キーとしてアルバム管理テーブル（図１９参照）を検索することにより、ユーザＡのユーザ識別情報が含まれているレコード内のユーザ識別情報を全て抽出し、更に、この抽出された各アルバム識別情報を検索キーとしてアルバム内画像管理テーブル（図２０参照）を検索することにより、対応するアルバム名のデータを抽出する（ステップＳ６９）。そして、作成部７３は、上記ステップＳ６９によって抽出された全てのアルバム識別情報及びアルバム名に基づいて、不図示のアルバムオブジェクトを作成する（ステップＳ７０）。
【０１１６】
次に、送受信部７１は、通信ネットワーク９を介して通信端末３ｂへ、アルバムオブジェクトのデータを送信する（ステップＳ７１）。これにより、通信端末３ｂの送受信部３１は、アルバムオブジェクトのデータを受信することになる。
【０１１７】
次に、通信端末３ｂの表示制御部３４は、アルバムオブジェクトに基づき、ディスプレイ３１５に対して、図２９に示されているようなアルバムリストを表示させることで、ユーザＢに対してアルバムの選択を促す（ステップＳ７２）。
【０１１８】
次に、ユーザＢが、通信端末３ｂによってアルバム名（ここでは、“アルバム１１”）を選択することにより、通信端末３ｂの操作入力受付部３２は、アルバムの選択を受け付ける（ステップＳ７３）。そして、通信端末３ｂの送受信部３１は、通信ネットワーク９を介して画像管理システム７へ、アルバム１１のアルバム識別情報を送信することで、アルバム内画像オブジェクトを要求する（ステップＳ７４）。これにより、画像管理システム７の送受信部７１は、アルバム識別情報を受信することになる。
【０１１９】
次に、画像管理システム７の記憶・抽出部７９は、上記ステップＳ７４によって受信されたアルバム識別情報を検索キーとしてアルバム内画像管理テーブル（図２０参照）を検索することにより、アルバム１１のアルバム識別情報が含まれているレコード内の画像識別情報を全て抽出し、更に、この抽出された画像識別情報を検索キーとして画像管理テーブル（図１７参照）を検索することにより、対応するＵＲＬ情報を抽出し、更に、この抽出されたＵＲＬ情報で記憶部７０００に管理されている画像データのメタデータを抽出する（ステップＳ７５）。そして、作成部７３は、上記ステップＳ７５によって抽出された画像データのメタデータに基づいて、不図示のアルバム内画像オブジェクトを作成する（ステップＳ７６）。なお、メタデータには、上述のように、画像データのサムネイル、画像の撮影日時が含まれている。
【０１２０】
次に、送受信部７１は、通信ネットワーク９を介して通信端末３ｂへ、アルバム内画像オブジェクトのデータを送信する（ステップＳ７７）。これにより、通信端末３ｂの送受信部３１は、アルバム内画像オブジェクトのデータを受信することになる。
【０１２１】
次に、通信端末３ｂの表示制御部３４は、アルバム内画像オブジェクトに基づき、ディスプレイ３１５に対して、図３０に示されているような画像リストを表示させることで、ユーザＢに対してアルバム１１内の画像データの選択を促す（ステップＳ７８）。図３０に示されている画像リストＩＬには、各画像データのサムネイル、撮影日、撮影時間が表示されている。
【０１２２】
続いて、図３１乃至図３３を用いて、ユーザＢが、通信端末３ｂを利用して、画像データを取得し、図１１（ａ）、（ｂ）に示されているように、ディスプレイ３１５上に画像データ、注目点、注目点を含む所定領域及びサムネイルを表示させるまでの処理を説明する。なお、図３１は、通信端末３ｂによって画像データを取得し、ディスプレイ３１５上に画像データ、注目点、注目点を含む所定領域及びサムネイルを表示させるまでの処理を示したシーケンス図である。図３２は、画像オブジェクトの内容を示した図である。図３３は、所定領域リストのオブジェクトの内容を示した図である。
【０１２３】
まず、ユーザＢが、図３０に示されているサムネイルのうち所望のサムネイルを選択することで、画像データを要求する動作を行うことにより、通信端末３ｂの操作入力受付部３２は、所望の画像データの要求を受け付ける（ステップＳ８１）。そして、通信端末３ｂの送受信部３１は、通信ネットワーク９を介して画像管理システム７へ、所望の画像データの画像識別情報を送信することで、画像オブジェクトを要求する（ステップＳ８２）。これにより、画像管理システム７の送受信部７１は、画像識別情報を受信することになる。
【０１２４】
次に、画像管理システム７の記憶・抽出部７９は、上記ステップＳ８２によって受信された画像識別情報を検索キーとして画像管理テーブル（図１７参照）を検索することにより、画像識別情報、ファイル名、ＵＲＬ情報、及び画像データに含まれている属性情報、画像管理システム７におけるコメントのＩＤ、ユーザＡのユーザ名及びユーザ識別情報、投稿されたコメント内容、並びに、コメントの投稿（作成）された日時を抽出する（ステップＳ８３）。そして、作成部７３は、上記ステップＳ８３によって抽出された各種情報に基づいて、図３２に示されているような、コメントオブジェクトを含んだ画像オブジェクトを作成する（ステップＳ８４）。この画像オブジェクトは、図２２に示された画像オブジェクトと、図２４に示されたコメントオブジェクトとが組み合わされたデータである。
【０１２５】
次に、送受信部７１は、通信ネットワーク９を介して通信端末３ｂへ、画像オブジェクトのデータを送信する（ステップＳ８５）。これにより、通信端末３ｂの送受信部３１は、画像オブジェクトのデータを受信することになる。
【０１２６】
引き続き、通信端末３ｂの送受信部３１は、通信ネットワーク９を介して画像管理システム７へ、上記ステップＳ８５によって取得されたＵＲＬ情報を送信することで、画像データを要求する（ステップＳ８６）。これにより、画像管理システム７の送受信部７１は、ＵＲＬ情報を受信することになる。
【０１２７】
次に、画像管理システム７の記憶・抽出部７９は、上記ステップＳ８６によって受信されたＵＲＬ情報を検索キーとして記憶部７０００を検索することにより、対応する画像データを抽出する（ステップＳ８７）。そして、送受信部７１は、通信ネットワーク９を介して通信端末３ｂへ、画像データを送信する（ステップＳ８８）。これにより、通信端末３ｂの送受信部３１は、画像データを受信することになる。
【０１２８】
引き続き、通信端末３ｂの送受信部３１は、通信ネットワーク９を介して所定領域管理システム５へ、上記ステップＳ８２によって送信された画像識別情報と同じ画像識別情報を送信することで、所定領域のリストを要求する（ステップＳ８９）。これにより、所定領域管理システム５の送受信部５１は、画像識別情報を受信することになる。
【０１２９】
次に、所定領域管理システム５の記憶・抽出部５９は、上記ステップＳ８９によって受信された画像識別情報を検索キーとして所定領域管理テーブル（図１６参照）を検索することにより、対応する所定領域情報を抽出する（ステップＳ９０）。そして、作成部５３は、上記ステップＳ９０によって抽出された所定領域情報に基づいて、図３３に示されているような、所定領域リストオブジェクトを作成する（ステップＳ９１）。この所定領域リストオブジェクトでは、撮影画像と、この撮影画像に対して設定された注目点を含む所定領域とが関連付けられている。また、注目点が複数設定されている場合には、単一の撮影画像と、複数の注目点のそれぞれを含む複数の所定領域が関連付けられている。
【０１３０】
次に、送受信部５１は、通信ネットワーク９を介して通信端末３ｂへ、所定領域リストオブジェクトのデータを送信する（ステップＳ９２）。これにより、通信端末３ｂの送受信部３１は、所定領域リストオブジェクトのデータを受信することになる。
【０１３１】
次に、通信端末３ｂの表示制御部３４は、上記ステップＳ８８によって受信された画像データに基づいて、図９に示されているように、ディスプレイ３１５上に所定領域画像（部分画像Ｐ）を表示させる（ステップＳ９３）。
【０１３２】
次に、作成部３３は、上記ステップＳ８８によって受信された画像データ及び上記ステップＳ９２によって受信された所定領域リストオブジェクトに基づいて、各所定領域画像のサムネイルを作成する（ステップＳ９４）。そして、表示制御部３４が、このステップＳ９４によって作成されたサムネイルを、図１１（ａ）で示されているようなサムネイルＴ１等として表示する（ステップＳ９５）。
【０１３３】
そして、最後に、表示制御部３４は、図１１（ａ）で示されているような注目点ＡＰ１等を表示させる。
【０１３４】
続いて、図１５、図３４乃至図３７を用いて、図２５におけるステップＳ４３の処理について詳細に説明する。図３４は、立体球上の各注目点を示した概念図である。なお、本実施形態では、図３４に示されているように、既に注目点（ＡＰ１１，ＡＰ１２，ＡＰ１３）を示す各所定領域情報が所定領域管理テーブル（図１６参照）に登録されている場合に、新たに注目点ＡＰ１４を示す所定領域情報の登録の可否判断を要求する場合について説明する。なお、注目点（ＡＰ１１，ＡＰ１２，ＡＰ１３）は第１の位置の一例であり、注目点ＡＰ１４は第２の位置の一例である。また、注目点（ＡＰ１１，ＡＰ１２，ＡＰ１３）を示す各所定領域情報は第１の位置情報の一例であり、注目点ＡＰ１４を示す所定領域情報は第２の位置情報の一例である。
【０１３５】
まず、図１５に示されている作成部５３は、図３６に示されているように、登録の可否判断が要求された所定領域情報（注目点ＡＰ１４）の３次元座標における構成要素（ｘ，ｙ，α）を重心として、この重心からそれぞれｘ±Ｌ，ｙ±Ｌ，α±ｋＬに広がった範囲となるクエリ（ここでは、「仮想の直方体」）を作成する（ステップＳ４３−１）。
【０１３６】
なお、“Ｌ”は、所定領域管理システム５の管理者又は製造者によって予め定められた値であり、上記式（１）によって導き出すことができる。即ち、上記式（１）を変形すると、以下のような式になる。
【０１３７】
Ｌ＝１／ｆ・ｔａｎ（α／２）
なお、注意すべき点として、Ｌは距離ｆにより変化することである。即ち、仮想カメラＩＣから近い所では対角線画角２Ｌは小さく（つまり球は小さく）なり、焦点距離ｆが大きくなると対角線画角２Ｌは大きく（つまり球は大きく）なる。この原理は、デジタルカメラの撮像素子（仮想カメラＩＣ）と被写体（注目点ＡＰ）との関係と同じある。また、“ｋ”は定数であり、ｋ＝１の場合には、上記仮想の直方体は仮想の立方体となる。
【０１３８】
図３６では、説明を簡単にするために、一辺が２Ｌの仮想の立方体を示している。なお、図３６は、一次絞込みの処理を示した概念図である。図３７は、二次絞込みの処理を示した概念図である。
【０１３９】
次に、記憶・抽出部５９は、所定領域管理テーブル（図１６参照）に対して、図３６に示されるように、注目点ＡＰ１４を重心とする仮想の立方体内に含まれる全ての注目点ＡＰ（所定領域情報）を検索する（ステップＳ４３−２）。より具体的に説明すると、記憶・抽出部５９は、注目点ＡＰ１４の３次元座標における各構成要素（ｘ１４，ｙ１４，α１４）に対して±Ｌを加えた（ｘ１４±Ｌ，ｙ１４±Ｌ，α１４±Ｌ）の各範囲内に、各構成要素（ｘ，ｙ，α）が全て含まれている注目点ＡＰ（所定領域情報）を所定領域管理テーブル（図１６参照）から抽出する。例えば、注目点ＡＰ１４の構成要素が（ｘ＝１００、ｙ＝１００、α＝３４）で、Ｌ＝５０の場合、ｘ±Ｌ＝５０〜１５０、ｙ±Ｌ＝５０〜１５０、α±Ｌ＝−２６〜８４の各範囲に含まれる構成要素を全て持つ注目点ＡＰが、所定領域管理テーブルから抽出される。
【０１４０】
次に、判断部５２は、仮想の立方体内に他の注目点ＡＰ（重心となる注目点ＡＰ以外の注目点ＡＰ）が存在するか否かを判断する（ステップＳ４３−３）。そして、仮想の立方体内に他の注目点ＡＰが全く存在しない場合には（ＮＯ）、既に登録されている注目点ＡＰのうち、登録の可否判断が要求された注目点ＡＰ１４に近いものがないため、判断部５２は注目点ＡＰ１４の登録を許可する（ステップＳ４３−４）。一方、上記ステップＳ４３−３において、仮想の立方体内に他の注目点ＡＰが少なくとも１つ存在する場合には（ＹＥＳ）、次のステップＳ４３−５の処理に進む。なお、上記ステップＳ４３−１〜３が、一次絞込みの処理である。また、ここでは、仮想の直方体ＩＲ内に、注目点ＡＰ１２及び注目点ＡＰ１３が含まれているが、注目点ＡＰ１１が含まれていない場合について、引き続き説明する。
【０１４１】
作成部５３が、図３７に示されているように、登録の可否判断が要求された所定領域情報（注目点ＡＰ１４）の３次元座標における構成要素（ｘ，ｙ，α）を重心として、半径Ｌの仮想の球体ＩＳを作成する（ステップＳ４３−５）。
【０１４２】
次に、判断部５３は、この仮想の球体ＩＳ内に、一次絞込みの処理で絞り込まれた注目点（ＡＰ１２、ＡＰ１３）が含まれるか否かを判断する。より具体的に説明すると、計算部５４は、登録の可否判断が要求された注目点ＡＰ１４の３次元座標における位置と、上記一次絞込み処理で絞り込まれた注目点（ＡＰ１２、ＡＰ１３）の３次元座標における各位置との間の距離（Ｌ２，Ｌ３）を計算する（ステップＳ４６−６）。そして、判断部５３は、計算された距離（Ｌ２，Ｌ３）が、予め定められている距離Ｌ以下か否かを判断する（ステップＳ４３−７）。なお、距離（Ｌ２、Ｌ３）は、以下の式（２）によって導き出される。
【０１４３】
Ｌ２（Ｌ３）＝｜Δｘ，Δｙ，ｋΔα｜・・・式（２）
なお、Δｘ、Δｙ、及びΔαは、既に登録されている注目点ＡＰ１２の３次元座標における各構成要素と、新たに登録の可否判断が要求された注目点ＡＰ１４の３次元座標における各構成要素の差分を示す。また、注目点ＡＰ１３に関しても、注目点ＡＰ１２と同じ扱いをされる。
【０１４４】
次に、上記ステップＳ４３−７の処理によって、距離（Ｌ２，Ｌ３）が、それぞれ予め定められている距離Ｌ以下でない場合には（ＮＯ）、既に登録されている注目点ＡＰのうち、登録の可否判断が要求された注目点ＡＰ１４に近いものがないため、ステップＳ４３−４の処理と同様に、判断部５２は注目点ＡＰ１４の登録を許可する。
【０１４５】
一方、上記ステップＳ４３−７の処理によって、距離（Ｌ２，Ｌ３）が、それぞれ予め定められている距離以下の場合には、既に登録されている注目点ＡＰのうち、登録の可否判断が要求された注目点ＡＰ１４に近いものがあるため、判断部５２は注目点ＡＰ１４の登録を拒否する（ステップＳ４３−８）。ここでは、図３７に示されているように、仮想球体ＩＳの中に、注目点ＡＰ１２が含まれないが、注目点ＡＰ１３が含まれている場合について、引き続き説明する。
【０１４６】
注目点ＡＰ１３が既に登録されているために、注目点ＡＰ１４が登録されなかった場合、記憶・抽出部５９は、所定領域管理テーブル（図１６参照）において、注目点１４の登録が拒否された原因となった注目点１３を示す所定領域情報に対して、登録拒否数を１つ増加させる。これにより、例えば、所定領域管理システム５の管理者は、登録拒否数が多い注目点ＡＰは、様々なユーザから注目されていることを把握することができるという効果を奏する。
【０１４７】
以上より、図２５に示されているステップＳ４３の処理は終了する。
【０１４８】
＜＜本実施形態の主な効果＞＞
以上説明したように本実施形態によれば、判断部５２は、新たに登録の可否判断が要求される注目点ＡＰ１４を重心とする仮想の直方体の領域内に、既に登録されている注目点（ＡＰ１１，ＡＰ１２，ＡＰ１３）が含まれているかを判断することで、一次絞込みを行う。これにより、二次絞込みのように２つの注目点間の距離を計算する必要がなく、上記ステップＳ４３−２の処理で示されているように、数値範囲内（ｘ１４±Ｌ，ｙ１４±Ｌ，α１４±Ｌ）に含まれる各数値（ｘ，ｙ，α）を検索するだけでよいため、二次絞込み（二次検索）に比べて、比較的短時間に一次絞込みを行うことができるという効果を奏する。
【０１４９】
なお、一次絞込み（一次検索）は、注目点ＡＰが図１６に示されているような所定領域管理テーブルを利用したリレーショナルデータベースによって表されるという特性を利用して、比較的短時間に絞り込みを行っている。
【０１５０】
また、一次絞込み後は、計算部５４が、具体的に２つの注目点間の距離を計算し、予め定められている距離以下の場合は登録が拒否され、予め定められている距離を越える場合には登録が許可される。これにより、図１０（ａ）に示されているように、ディスプレイ３１５上に表示される各注目点ＡＰが近いために、ユーザにとって分かりづらいという問題を解決することができるという効果を奏する。
【０１５１】
更に、所定領域管理システム５が、画像識別情報及び所定領域情報を対応付けて記憶しておき（図１６参照）、通信端末３から受信した画像識別情報に対応する所定領域情報を通信端末に送信することで（図３１のステップＳ９２参照）、通信端末３では、画像データと所定領域画像を対応付けた状態で表示させることができる（図１１（ａ）参照）。
【０１５２】
〔実施形態の補足〕
上記実施形態では、図３５に示されているように、一次絞込みの後に、二次絞込みを行うようにしたが、これに限るものではない。例えば、一次絞込みを省略して二次絞込みのみを行うようにしても良い。この場合、計算部５４は、所定領域管理テーブル（図１６参照）で、既に登録されている注目点ＡＰの全てに対して、新たに登録の可否判断される注目点ＡＰとの距離を算出する。
【０１５３】
また、上記実施形態では、ステップＳ４２によって、一旦、所定領域情報（注目点ＡＰ）の登録の可否判断の要求が行われた後、ステップＳ４５によって、所定領域情報（注目点ＡＰ）の登録の要求が行われているが、これに限るものではない。例えば、ステップＳ４２でいきなりステップＳ４５のような登録の要求が行われ、ステップＳ４３で登録が許可された場合には、この許可された所定領域情報（注目点ＡＰ）を所定領域管理テーブルに記憶して追加登録するようにしてもよい。
【０１５４】
更に、上記実施形態では、図３６及び図３７に示されているように、多次元座標系の一例として３次元座標系における注目点ＡＰの位置を計算することとしたが、これに限るものではない。例えば、画角αを固定することで、多次元座標系の一例として２次元座標系（ｘ，ｙ）における注目点ＡＰの位置を計算してもよい。この場合、新たに登録の可否判断を要求された所定領域情報で示される注目点ＡＰ１４を重心とする領域は、長方形（正方形を含む）である。
【０１５５】
更に、上記実施形態における所定領域管理システム５、及び画像管理システム７は、単一のコンピュータによって構築されてもよいし、各部（機能、手段、又は記憶部）を分割して任意に割り当てられた複数のコンピュータによって構築されていてもよい。
【０１５６】
また、上記実施形態の各プログラムが記憶されたＣＤ−ＲＯＭ等の記録媒体、並びに、これらプログラムが記憶されたＨＤ５０４は、いずれもプログラム製品(Program Product)として、国内又は国外へ提供されることができる。
【符号の説明】
【０１５７】
１  撮影装置
３ａ  通信端末
３ｂ  通信端末
５  所定領域管理システム
７  画像管理システム
９  通信ネットワーク
９ａ  基地局
９ｂ  基地局
３１  送受信部
３２  操作入力受付部
３３  作成部
３４  表示制御部
３５  取得部
３８  画像処理部
３９  記憶・抽出部
５１  送受信部（送信手段の一例、受信手段の一例）
５２  判断部（判断手段の一例）
５３  作成部（作成手段の一例）
５４  計算部（計算手段の一例）
５９  記憶・抽出部（記憶処理手段の一例）
７１  送受信部
７２  作成部
７９  記憶・抽出部
３１５  ディスプレイ
３０００  記憶部
５０００  
５００１  所定領域管理ＤＢ（記憶手段の一例）
７０００  記憶部
７００１  画像管理ＤＢ
【先行技術文献】
【特許文献】
【０１５８】
【特許文献１】特開２０１１−１２０２０１号公報
【図１】
2014120878.tif 000003
【図２】
2014120878.tif 000004
【図３】
2014120878.tif 000005
【図４】
2014120878.tif 000006
【図５】
2014120878.tif 000007
【図６】
2014120878.tif 000008
【図７】
2014120878.tif 000009
【図８】
2014120878.tif 000010
【図９】
2014120878.tif 000011
【図１０】
2014120878.tif 000012
【図１１】
2014120878.tif 000013
【図１２】
2014120878.tif 000014
【図１３】
2014120878.tif 000015
【図１４】
2014120878.tif 000016
【図１５】
2014120878.tif 000017
【図１６】
2014120878.tif 000018
【図１７】
2014120878.tif 000019
【図１８】
2014120878.tif 000020
【図１９】
2014120878.tif 000021
【図２０】
2014120878.tif 000022
【図２１】
2014120878.tif 000023
【図２２】
2014120878.tif 000024
【図２３】
2014120878.tif 000025
【図２４】
2014120878.tif 000026
【図２５】
2014120878.tif 000027
【図２６】
2014120878.tif 000028
【図２７】
2014120878.tif 000029
【図２８】
2014120878.tif 000030
【図２９】
2014120878.tif 000031
【図３０】
2014120878.tif 000032
【図３１】
2014120878.tif 000033
【図３２】
2014120878.tif 000034
【図３３】
2014120878.tif 000035
【図３４】
2014120878.tif 000036
【図３５】
2014120878.tif 000037
【図３６】
2014120878.tif 000038
【図３７】
2014120878.tif 000039
【図３８】
2014120878.tif 000040